(57)【特許請求の範囲】
【請求項１】
電子装置において、
第１画面ページ及び第２画面ページをディスプレイするタッチスクリーンと、
前記電子装置の動きに応じた信号を出力するセンサ部と、
前記タッチスクリーンを通じて受信されるユーザ入力に基づいて、前記第１画面ページでアイテムを選択し、前記センサ部から出力される前記電子装置の動きに応じた信号に基づいて、前記タッチスクリーンにディスプレイされた前記第１画面ページを前記第２画面ページに変更し、前記選択されたアイテムが前記第２画面ページに表示されるようにする制御部と
を含む電子装置。
【請求項２】
前記第２画面ページが前記タッチスクリーンにディスプレイされた後に、前記制御部は、前記タッチスクリーンから受信されるタッチ情報に応じて、前記第２画面ページに前記選択されたアイテムを位置させることを特徴とする請求項１に記載の電子装置。
【請求項３】
前記制御部は、前記第１画面ページで前記アイテムが選択された後に編集モードにシフトし、
前記編集モードの間に、前記制御部は、前記センサ部からの出力信号処理とともに、前記タッチスクリーンからの出力信号を処理し、前記第１画面ページから前記第２画面ページに変更される間に前記タッチスクリーンがタッチされたか否かを判断することを特徴とする請求項１に記載の電子装置。
【請求項４】
前記編集モードの間に、前記制御部は、前記選択されたアイテムが連続的にタッチされているか否かを前記タッチスクリーンから受信されるタッチ情報に基づいて判断し、前記第１画面ページが前記第２画面ページに変更される間、前記選択されたアイテムを前記タッチスクリーン上で前記タッチ情報に対応する位置に表示することを特徴とする請求項３に記載の電子装置。
【請求項５】
前記制御部は、
タッチが解除されると、前記編集モードを終了することを特徴とする請求項４に記載の電子装置。
【請求項６】
前記制御部は、
前記センサ部から受信される信号に基づいて、前記電子装置の上部表面の中心及び下部表面の中心を通る回転軸を基準に傾く動きを検出し、前記検出された動きに基づいて、前記第１画面ページから前記第２画面ページへの変更を制御する
ことを特徴とする請求項５に記載の電子装置。
【請求項７】
前記編集モードにおいて、前記制御部は、前記タッチスクリーンから獲得されたタッチ情報及び前記センサ部から獲得された動き関連情報に基づいて、複数の背景画面ページに並んでいるアイコンの位置を変更することを特徴とする請求項６に記載の電子装置。
【請求項８】
前記第１画面ページ及び前記第２画面ページは、前記電子装置によって実行される互いに異なるマルチタスキングアプリケーションに対するものであることを特徴とする請求項１に記載の電子装置。
【請求項９】
前記センサ部は、
パニング、ティルティング、回転動きのうち、少なくとも一つを検出するジャイロセンサを含むことを特徴とする請求項１に記載の電子装置。
【請求項１０】
前記センサ部は、
パニング、ティルティング、回転動きのうち、少なくとも一つを検出する加速度センサを含むことを特徴とする請求項１に記載の電子装置。
【請求項１１】
電子装置のタッチスクリーンでディスプレイされる第１画面のオブジェクトを第２画面に移動させる方法において、
前記オブジェクトを含む第１画面をタッチスクリーンにディスプレイするステップと、
前記電子装置の前記タッチスクリーンを通じて受信されるユーザ入力に基づいて、前記第１画面で前記オブジェクトを指定するステップと、
前記電子装置の動きに応じてセンサ部から受信される信号に基づいて、前記指定されたオブジェクトが前記第２画面上にディスプレイされるように前記タッチスクリーンにディスプレイされた前記第１画面を前記タッチスクリーン上で前記第２画面に変更するステップと
を含む方法。
【請求項１２】
前記第１画面上で前記オブジェクトが所定時間の間タッチされると、前記電子装置のモードを編集モードに切り替えるステップを更に含むことを特徴とする請求項１１に記載の方法。
【請求項１３】
編集オプションが選択されると、前記電子装置のモードを編集モードに切り替えるステップを更に含むことを特徴とする請求項１１に記載の方法。
【請求項１４】
前記第１画面上で前記オブジェクトが指定されると、前記指定されたオブジェクトの一側に少なくとも一つのワード（Ｗｏｒｄ）をディスプレイするステップを更に含み、
前記電子装置は、前記少なくとも一つのワードの中から編集を実行するためのコマンドが選択されると、編集モードに切り替えることを特徴とする請求項１１に記載の方法。
【請求項１５】
前記オブジェクトに対するタッチが解除されると、前記指定されたオブジェクトが前記第２画面にディスプレイされた状態で、前記編集モードを終了させるステップを更に含むことを特徴とする請求項１２に記載の方法。
【請求項１６】
前記第２画面の背景がタッチされると、前記指定されたオブジェクトが前記第２画面にディスプレイされた状態で、前記編集モードを終了させるステップを更に含むことを特徴とする請求項１２に記載の方法。
【請求項１７】
前記電子装置が前記編集モードに切り替わると、前記第１画面を編集モード状態表示画面で表示するステップを更に含むことを特徴とする請求項１２に記載の方法。
【請求項１８】
前記オブジェクトは、前記電子装置の前記第１画面にディスプレイされた複数のアイコンのいずれか一つであり、
前記変更するステップは、
前記センサ部から検出された動きの大きさに対応する速度で、前記電子装置の前記第１画面を前記第２画面にスライディングまたはスクローリングさせつつ、漸進的に変更することを特徴とする請求項１１に記載の方法。
【請求項１９】
前記変更するステップは、
前記動きの大きさが閾値のｎ倍以上ｎ＋１倍未満であると、前記第１画面を前記第１画面からｎページ離隔している前記第２画面に変更するステップを含むことを特徴とする請求項１１に記載の方法。
【請求項２０】
前記第１画面は、アプリケーション画面、ウェブブラウザ画面、マルチメディアファイル画面のいずれか一つを含み、前記オブジェクトは、前記第１画面にディスプレイされたイメージまたはテキストを含み、
前記変更するステップは、
前記第１画面を他のアプリケーション画面、ウェブブラウザ画面、マルチメディアファイル画面である第２画面に変更するステップを含むことを特徴とする請求項１１に記載の方法。
【請求項２１】
前記動きは、パニング、ティルティング、前記電子装置の回転動きのうち、少なくとも一つを含むことを特徴とする請求項１１に記載の方法。
【請求項２２】
電子装置の動きが検出されると、検出された動きに応じて、電子装置にディスプレイされた第１画面を第２画面に変更するステップと、
前記第１画面で指定されたオブジェクトを前記第２画面にディスプレイするステップと
を含む方法。
【請求項２３】
前記第１画面で前記オブジェクトが指定された後に、編集モードに切り替えるステップと、
前記編集モードの間、タッチスクリーンから受信されるタッチ情報及びモーションセンサユニットから受信される動き情報をそれぞれ処理し、前記第１画面で前記第２画面に変更される間、前記タッチスクリーンがタッチされているか否かを判断するステップと
を更に含むことを特徴とする請求項２２に記載の方法。
【請求項２４】
前記指定されたオブジェクトは、前記第１画面が前記第２画面に変更される間、前記タッチスクリーン上で前記タッチ情報に対応する位置にディスプレイされることを特徴とする請求項２３に記載の方法。
【請求項２５】
前記タッチ情報に基づいてタッチが解除されたと判断されると、前記編集モードを終了するステップを更に含むことを特徴とする請求項２４に記載の方法。
【請求項２６】
記録媒体に記録された少なくとも一つのプログラムを実行するタッチディスプレイ装置において、
前記少なくとも一つのプログラムは、
前記タッチディスプレイ装置において、少なくとも一つのオブジェクトを含む第１画面をディスプレイするステップと、
前記第１画面上のオブジェクトを指定するステップと、
前記第１画面上のオブジェクトが指定されると、前記タッチディスプレイ装置を編集モードに切り替えるステップと、
前記タッチディスプレイ装置の動きが検出されると、前記検出された動きに応じて前記第１画面を第２画面に変更するステップと、
前記第２画面上に前記指定されたオブジェクトをディスプレイするステップとを実行する
ことを特徴とするタッチディスプレイ装置。
【発明の詳細な説明】
【技術分野】
【０００１】
本発明は、ＧＵＩ（Ｇｒａｐｈｉｃａｌ  Ｕｓｅｒ  Ｉｎｔｅｒｆａｃｅ）に関し、より詳細には、タッチディスプレイ装置及びそのディスプレイ方法に関する。
【背景技術】
【０００２】
タッチディスプレイに表示されたアイコン、メニューやアンカーのようなＧＵＩアイテムをポインタを用いて選択する方式によるＧＵＩは、既に普遍化している。このようなＧＵＩ環境でユーザ命令を入力するために、ユーザはタッチパッドのような入力装置を用いてポインタを所望のアイテムに移動させ、入力装置に設けられた特定ボタンを押す操作によってポインタの位置するアイテムを指示する機能を実行するように命令することができる。
【０００３】
なお、ユーザはタッチディスプレイのスクリーンをタッチすることにより、所望のＧＵＩを選択してＧＵＩに対応するプログラムまたはアプリケーション等を実行させることができる。
【０００４】
しかし、ユーザは、ＧＵＩが含まれた背景画面を編集する場合において、一つのアイコンを別のページの背景画面に移動させようとする際、従来の方式は、編集モードでアイコンを背景画面ページのスクリーン端末に移動させた後、所定の時間を待機した後、次のページ背景画面が表示されると、アイコンを背景画面に配置させる手間がかかっていた。
【０００５】
このような問題点は、特に複数のページ以後に指定された背景画面に特定アイコンを移動させようとする場合に、更に深刻化する。
【０００６】
よって、ユーザは、ＧＵＩを利用することにおいて、より便利な操作方式を追加するようになるため、より便利に所望のＧＵＩアイテムを操作できるようにするための方策への模索が求められる。
【先行技術文献】
【特許文献】
【０００７】
【特許文献１】韓国公開特許第１０−２００９−０１２２８０５号公報
【特許文献２】韓国公開特許第１０−２０１０−０００５４３９号公報
【特許文献３】韓国公開特許第１０−２０１０−０００６１０１号公報
【特許文献４】特開２００４―０３８８９４号公報
【発明の概要】
【発明が解決しようとする課題】
【０００８】
そこで、本発明は、上記問題に鑑みてなされたものであり、本発明の目的は、ディスプレイ編集が容易なタッチスクリーン装置及びそのディスプレイ方法を提供することである。
【課題を解決するための手段】
【０００９】
上述の目的を達成するための本発明の一実施形態に係るタッチディスプレイ装置のディスプレイを編集するための方法は、少なくとも一つのオブジェクトを含む第１画面をディスプレイするステップと、前記第１画面上でオブジェクトを指定するステップと、前記第１画面上でオブジェクトが指定されると、前記タッチディスプレイ装置を前記ディスプレイを編集するための編集モードに切り替えるステップと、前記タッチディスプレイ装置の動きが検出されると、前記動き程度及び動き方向のうち少なくとも一方に応じて、前記第１画面を第２画面に切り替えるステップと、前記第２画面上に前記指定されたオブジェクトをディスプレイするステップとを含む。
【００１０】
一方、本発明の別の実施形態に係るタッチディスプレイ装置は、少なくとも一つのオブジェクトを含む第１画面をディスプレイし、前記第１画面上でオブジェクトの指定を受信するユーザインターフェース部と、前記タッチディスプレイ装置の動きを検出するセンサ部と、前記オブジェクトの指定が受信されると、前記タッチディスプレイ装置のディスプレイを編集するための編集モードに変更し、前記タッチディスプレイ装置の動きが検出されると、前記動き程度及び動き方向のうち少なくとも一方に応じて、前記第１画面を第２画面に切り替え、前記第２画面上に前記指定されたオブジェクトをディスプレイするように前記ユーザインターフェース部を制御する制御部とを含む。
【００１１】
一方、本発明の更に別の実施形態に係るタッチディスプレイ装置のディスプレイを編集するための製造物品は、第１画面をディスプレイするステップと、前記第１画面上でオブジェクトを指定するステップと、前記第１画面上でオブジェクトが指定されると、前記タッチディスプレイ装置を前記ディスプレイを編集するための編集モードに切り替えるステップと、前記タッチディスプレイ装置の動きが検出されると、前記動き程度及び動き方向のうち少なくとも一方に応じて、前記第１画面を第２画面に切り替えるステップと、前記第２画面上に前記指定されたオブジェクトをディスプレイするステップとを含む方法によって行われる少なくとも一つのプログラムを含む記録媒体を含む。
【発明の効果】
【００１２】
以上説明したように、本発明によれば、ユーザはより容易にアプリケーション識別アイコンのようなＧＵＩアイテムまたはテキストファイルまたはイメージファイルを編集することができる。更に、ユーザは、より直観的にウェブブラウザウィンドウを探索することができ、それにより、ディスプレイ編集においてユーザの便宜が極大化することができるようになる。
【図面の簡単な説明】
【００１３】
【図１】本発明の実施形態に係るタッチディスプレイ装置のブロック図である。
【図２】本発明の実施形態に係るタッチディスプレイ装置のブロック図である。
【図３】本発明の実施形態に係る編集モードへのシフト動作を説明するための概念図である。
【図４】本発明の実施形態に係る編集モードへのシフト動作を説明するための概念図である。
【図５】本発明の実施形態に係る編集モードへのシフト動作を説明するための概念図である。
【図６】タッチディスプレイ装置のパニング動作による背景画面編集過程を説明するための概念図である。
【図７】タッチディスプレイ装置のティルティング動作による背景画面編集過程を説明するための概念図である。
【図８】本発明の一実施形態に係るタッチディスプレイ装置のティルティング方法を説明するための概念図である。
【図９】タッチディスプレイ装置のパニング動作による単一ウェブブラウザ画面の編集過程を説明するための概念図である。
【図１０】タッチディスプレイ装置のパニング動作による単一ウェブブラウザ画面の編集過程を説明するための概念図である。
【図１１】タッチディスプレイ装置のパニング動作による単一ウェブブラウザ画面の編集過程を説明するための概念図である。
【図１２】タッチディスプレイ装置のティルティング動作による複数個のウェブブラウザ画面間の編集過程を説明するための概念図である。
【図１３】タッチディスプレイ装置のティルティング動作による複数個のウェブブラウザ画面間の編集過程を説明するための概念図である。
【図１４】本発明の実施形態に係るタッチディスプレイ装置のディスプレイ方法を説明するためのフローチャートである。
【図１５】本発明の実施形態に係るタッチディスプレイ装置のディスプレイ方法を説明するためのフローチャートである。
【発明を実施するための形態】
【００１４】
以下に添付図面を参照しながら、本発明の好適な実施形態について詳細に説明する。
【００１５】
図１は、本発明の実施形態に係るタッチディスプレイ装置１のブロック図である。
【００１６】
同図に示すように、タッチディスプレイ装置１は、センサ部１００と、ユーザインターフェース部２００と、保存部３００及び制御部４００を含む。
【００１７】
センサ部１００は、センサ部１００を含んでいるタッチディスプレイ装置１の全体的な動きの程度及び方向を検出することができる。例えば、センサ部１００は、タッチディスプレイ装置１が地面と水平方向にパニング（Ｐａｎｎｉｎｇ）する動作を検出することができ、この場合、タッチディスプレイ装置１が基準点からパニングする距離及び変位、速度または加速度を検出することができる。この場合、センサ部１００は、タッチディスプレイ装置１の慣性成分を利用することができる。
【００１８】
さらに、センサ部１００は、タッチディスプレイ装置１が特定方向にティルティング（Ｔｉｌｔｉｎｇ）または回転する動作を検出することができる。更に詳細には、後述するが、センサ部１００は、タッチディスプレイ装置１の正面の下段部の中の任意の点を正面と垂直に通過する軸を中心に、タッチディスプレイ装置１が左側または右側に回転する動作を検出することができる。それについては、図５を参照して詳細に後述する。
【００１９】
なお、センサ部１００は、タッチディスプレイ装置１の正面と隣接した対面する両面を同時に垂直に通過する軸を中心に、左側または右側にティルティングする動作を検出することもできる。それについては、図６を参照して詳細に後述する。
【００２０】
上述のパニングまたはティルティングまたは回転動作を検出することができるように、センサ部１００は好適には、ジャイロセンサまたは線形加速度センサを含んでよい。ただ、ジャイロセンサまたは線形加速度センサは、センサ部１００の一実施形態に過ぎず、センサ部１００を含むタッチディスプレイ装置１のパニングまたはティルティングまたは回転動作を検出できるものなら、制限されないということは当業者に自明であろう。
【００２１】
ユーザインターフェース部２００は、タッチ（ｔｏｕｃｈ）を検知できるタッチスクリーンで実現されてよい。ここで、タッチスクリーンとは、キーボードを使わずに画面（スクリーン）に現れた文字や特定位置に人の手またはその他の物体が触れると、その位置を把握して保存されたソフトウェアによって特定処理を行うことができるように、画面で直接入力資料を受けられるようにした画面を意味する。
【００２２】
タッチスクリーンは、一般のモニタの画面にタッチパネル（ｔｏｕｃｈ  ｐａｎｎｅｌ）という装置を備えて機能を発揮することができる。ここで、タッチパネルは、左右上下に目に見えない赤外線が流れるようにし、画面に数多くの四角の格子が生じるようにすることで、指先やその他の物体でこの格子に接触すると、その位置を把握することができるようにする。
【００２３】
よって、タッチパネルを装着した画面に予め現れた文字やイメージ情報を手で接触すると、接触された画面の位置に応じてユーザが選択した事項が何かを把握し、それに対応する命令をコンピュータで処理するようにし、いとも簡単に自分が望む情報を得ることができる。
【００２４】
ユーザインターフェース部２００は、ユーザ接触によるタッチ信号を制御部４００に出力する。ここで、ユーザ接触は、ユーザの指先はもちろんのこと、タッチ可能なその他の多様な物体であってよい。
【００２５】
更に、ユーザインターフェース部２００は、各種画面をディスプレイすることができる。更に詳細には、ユーザインターフェース部２００は、複数個のアプリケーションを指示するアイコンのようなＧＵＩアイテムを表示する背景画面をディスプレイすることができる。
【００２６】
なお、ユーザインターフェース部２００は、制御部４００の指示を受けて、現在実行されているアプリケーションの表示画面、ウェブブラウザ画面、マルチメディアファイルに対応する画面等をディスプレイすることができる。ユーザインターフェース部２００が上述の多様な画面を、制御部４００の制御を受けてディスプレイする構成は、当業者に自明なことであるため、ここで詳細な説明は省略する。
【００２７】
保存部３００は、ユーザインターフェース部２００にディスプレイされる画面を実現するのに求められるグラフィックデータを保存することができる。保存部３００は、制御部４００の制御に応じて保存されたグラフィックデータを制御部４００に提供することができる。
【００２８】
なお、より詳細に後述するが、保存部３００は、制御部４００によって生成された新規画面を実現するのに求められるグラフィックデータを更に保存することができる。
【００２９】
なお、保存部３００が各種アプリケーションプログラムまたはウェブブラウザ及びマルチメディアファイルを保存することができる。
【００３０】
制御部４００は、センサ部１００、ユーザインターフェース部２００及び保存部３００の動作全般を制御することができる。
【００３１】
ユーザインターフェース部２００に予め設定された編集モードへのシフト動作が入力された場合、制御部４００は編集モードへのシフト動作を判断し、ユーザインターフェース部２００が編集モードに対応する画面、すなわち、編集モード状態であることをディスプレイするように制御することができる。
【００３２】
ここで、編集モードとは、背景画面またはウェブブラウザ画面にディスプレイされたＧＵＩアイテム、テキストまたはイメージ等を所定の位置または他の背景画面、他のウェブブラウザ画面等に移動させることができるモードを意味してよい。
【００３３】
なお、ここで編集モードへのシフト動作とは、予め設定された動作を通じて編集モードにシフトすると同時に、移動させるＧＵＩアイテム、テキストまたはイメージを指定する動作を意味してよい。本発明では、多様な編集モードへのシフト動作が実現されてよく、それについては、図３ないし図５を参照してより詳細に後述する。
【００３４】
さらに、移動させるＧＵＩアイテム、テキストまたはイメージ等をまとめて編集対象コンテンツと呼ぶ。
【００３５】
上記の編集モード状態表示画面は、保存部３００にグラフィックデータ形態で保存されてよく、または、制御部４００が保存部３００から背景画面ディスプレイに対するグラフィックデータを読み取った後、グラフィックデータを用いて編集モード状態表示画面を生成することもできる。
【００３６】
制御部４００は、センサ部１００から検出されたタッチディスプレイ装置１の動きの程度または方向に基づいて、それに対応する画面を形成するためのグラフィックデータを生成することができる。なお、制御部４００は、グラフィックデータを保存するように保存部３００を制御することができる。
【００３７】
更に、制御部４００は、タッチディスプレイ装置１の動きに基づいて生成されたグラフィックデータを用いて、対応する画面をディスプレイするようにユーザインターフェース部２０を制御することもできる。
【００３８】
特に、制御部４００は、タッチディスプレイ装置１のパニングまたはティルティングまたは回転動作等の動き程度及び動き方向に応じて変更される画面を、上記編集モード状態でディスプレイするように、ユーザインターフェース部２００を制御することができ、それに関する詳細な説明は後述する。
【００３９】
動き程度及び動き方向に応じて変更される画面がユーザインターフェース部２００にディスプレイされる途中、ユーザがユーザインターフェース部２００に編集モード解除動作を入力すると、制御部４００は変更された画面上に編集対象コンテンツをディスプレイした状態で、編集モードを終了するようにユーザインターフェース部２００を制御することができる。
【００４０】
上述の構成によって、タッチディスプレイ装置１は、従来の技術とは異なるように編集対象コンテンツをディスプレイ画面の末端に移動させることなく、タッチディスプレイ装置１をティルティングまたはパニングまたは回転させる動作で容易に編集することができる。
【００４１】
図２は、本発明の一実施形態に係るタッチディスプレイ装置１を説明するためのブロック図である。同図に示すように、タッチディスプレイ装置１は、センサ部１００と、ユーザインターフェース部２００と、保存部３００及び制御部４００を含んでよく、制御部４００は、インターフェース部４１０と、プロセッシング部４２０と、ＧＵＩ生成部４３０及びマルチメディア機能ブロック４４０を含んでよい。
【００４２】
同図の構成のうち、図１で説明した構成については、説明を省略したり、簡略に説明する。
【００４３】
制御部４００に含まれたインターフェース部４１０は、ユーザインターフェース部２００から、ユーザによる編集モードへのシフト動作が入力されたという信号を受信することができる。なお、インターフェース部４１０は、センサ部１００からタッチディスプレイ装置１の動きに関連する情報を受信することができる。上述のように、タッチディスプレイ装置１の動きは、タッチディスプレイ装置１のパニングまたはティルティングまたは回転動作であってよい。
【００４４】
インターフェース部４１０は、編集モードへのシフト動作が入力されたという信号とタッチディスプレイ装置１の動きが受信されると、プロセッシング部４２０は、ＧＵＩ生成部によって動きに基づく新規画面を実現するデジタルデータを形成するようにすることができる。
【００４５】
形成された新規画面は、インターフェース部４１０を介して、保存部３００に保存されてよく、なお、ユーザインターフェース部２００に伝送されてよい。ここで、プロセッシング部４２０は、新規画面に対するグラフィックデータをアナログ形態に変換し、ユーザインターフェース部２００に伝送することができる。
【００４６】
ユーザインターフェース部２００は、受信したアナログ形態の新規画面に対するグラフィックデータをユーザが識別できるようにディスプレイすることができる。ただ、ユーザインターフェース部２００が、自らＤＡＣ（Ｄｉｇｉｔａｌ−ｔｏ−Ａｎａｌｏｇ  Ｃｏｎｖｅｒｔｅｒ）を備え、インターフェース部４１０からデジタル形態のグラフィックデータを受信し、ユーザインターフェース部２００内でコンバーティングを行う構成も可能である。
【００４７】
その後、ユーザがユーザインターフェース部２００に編集モード解除動作を入力すると、それは制御部４００内のインターフェース部４１０に伝送されてよい。
【００４８】
プロセッシング部４２０は、それに対応して編集モードを解除することができ、新規画面を編集完了している画面として保存部３００に保存することができる。
【００４９】
一方、制御部４００は、マルチメディア機能ブロック４４０を含んでよく、マルチメディア機能ブロック４４０は、動画、停止映像、音楽、テキスト等のコンテンツを再生したり、背景画面をディスプレイするようにする基本的な機能を実行できるようにする。ただ、本願発明に係るタッチディスプレイ装置１は、ディスプレイを主要機能とするものとして想定しているため、停止映像または動画を再生することをマルチメディア機能ブロック４４０の主要機能とする。
【００５０】
以下では、本願発明に係るタッチディスプレイ装置１のディスプレイ編集過程をより詳細に説明する。
【００５１】
まず、図３ないし図４を参照し、編集モードへのシフト動作についてより詳細は説明する。
【００５２】
図３は、編集しようとする対象が、複数個のアプリケーション識別アイコンを含む背景画面である場合を説明するための概念図である。
【００５３】
同図に示すように、ユーザは身体の一部を編集対象コンテンツである一つのアプリケーション識別アイコンに予め設定された時間以上タッチすることで、編集対象コンテンツを指定すると同時に編集モードにシフトすることができる。
【００５４】
なお、同図に示すように、編集対象コンテンツに指定されたコンテンツは、コンテンツ周辺の色相が変更される方式等で編集対象コンテンツに指定されたことをユーザに識別できるようにする。ただ、編集対象コンテンツの色相が変更される方式は、一つの実施形態に過ぎず、ユーザに識別できるようにする方法なら、編集対象コンテンツを示す構成には、制限がないことは当業者に自明なことである。
【００５５】
図４は、本発明の別の実施形態に係る編集モードへのシフト動作を説明するための概念図である。
【００５６】
同図に示すように、ユーザはディスプレイ左側の最上段に配置された“メニュー”に該当するアプリケーション識別アイコンをタッチし、ディスプレイの下段に示すような各種モード構成テーブルを呼び出すことができる。
【００５７】
ユーザは、モード構成テーブルのうち、“編集モード”をタッチすることで、編集モードにシフトすることができる。
【００５８】
図５は、本発明の更に別の実施形態に係る編集モードへのシフト動作を説明するための概念図である。
【００５９】
同図は、編集しようとするディスプレイ対象が、テキスト及びイメージを含むウェブブラウザ画面である場合に該当し、ユーザは図５に示すように、イメージをタッチした後、イメージが指定されつつ、“ｃｏｐｙ”という語句がディスプレイされると、“ｃｏｐｙ”という語句を再びタッチし、編集対象コンテンツをイメージとして指定すると同時に、タッチディスプレイ装置１が編集モードにシフトすることができる。
【００６０】
上述のように、ユーザは、多様な方式で編集対象コンテンツを指定すると同時に、編集モードにシフトすることができる。更に、ユーザは、アイコンを含む背景画面だけでなく、ウェブブラウザ画面も編集の対象として利用することができる。
【００６１】
以下では、本発明の多様な実施形態に係る編集過程を説明するようにする。
【００６２】
図６は、本発明の一実施形態に係るタッチディスプレイ装置１のディスプレイ編集過程を説明するための概念図である。
【００６３】
同図の一番左に示す図は、複数個のアプリケーション識別アイコンを含む背景画面をディスプレイするユーザインターフェース部２００である。同図に示すように、ユーザは身体の一部分をユーザインターフェース部２００上にディスプレイされた特定アイコンにタッチすることができる。このような動作は、図３を参照して説明した内容と同様であって、ユーザは複数個のアイコンのうち、最下段の最右側のアイコンを編集対象アイコンとして指定し、同時に編集モードにシフトする。
【００６４】
一方、ユーザインターフェース部２００の左側上部にディスプレイされる“１”という数字は、ページ識別番号（ａ）として、現在のユーザインターフェース部２００にディスプレイされている背景画面が１ページであることを示すものである。
【００６５】
ユーザは、タッチディスプレイ装置１を右側にパニングする動作を行うことができる。タッチディスプレイ装置１が予め設定された距離閾値以上パニングされることがセンサ部１００によって検出されると、制御部４００は、タッチディスプレイ装置１がパニングした距離に対応する編集対象コンテンツを含む新規画面をディスプレイするように、ユーザインターフェース部２００を制御することができる。
【００６６】
図６の実施形態では、ユーザは予め設定された距離閾値の２倍以上３倍未満分だけタッチディスプレイ装置１を右側にパニングし、センサ部１００はこのようなパニングされた距離及び方向を検出し、制御部４００に伝送することができる。
【００６７】
制御部４００は、センサ部１００から受信された情報に基づいて、編集対象が含まれた新規画面をディスプレイするように、ユーザインターフェース部２００を制御することができる。
【００６８】
より詳細には、制御部４００は、タッチディスプレイ装置１が右側に、距離閾値の２倍以上３倍未満分だけパニングされているため、初期の１ページから右方に２ページだけ離隔されて指定された背景画面、すなわち、３ページに基づいて新規画面を形成することができる。制御部４００は、タッチディスプレイ装置１がパニングされる距離が距離閾値のｎ倍以上ｎ＋１倍未満である場合、初期のディスプレイからｎページ離隔されていると指摘されたメニュー画面と編集対象コンテンツを含む新規画面とを生成することができる。ここで、ｎは自然数である。
【００６９】
図２を参照して説明したように、ＧＵＩ生成部４３０は、保存部３００から第３ページを読み取り、それに基づいて編集対象コンテンツを更に含む新規画面を生成することができる。
【００７０】
図６の新規画面が含まれるページ識別番号（ｂ）が３であることを確認することができ、それにより元背景画面から右側に２ページだけ離隔していると指定された３ページ背景画面と編集対象コンテンツが含まれた新規画面とが生成されていることを確認することができる。
【００７１】
新規画面が生成された後、ユーザは編集モードを解除するための編集モード解除動作を行うことができる。ユーザの編集モード解除動作は、運指していた身体の一部分とタッチディスプレイ装置１との接触を断絶するものであってよい。なお、編集モード解除動作は、ＧＵＩアイテム以外の背景をタッチするものであってよい。ただ、上述の編集モード解除動作は、単に例示的なものであり、編集モード解除動作に対する制限はない。
【００７２】
ユーザインターフェース部２００に編集モード解除動作が入力される場合、制御部４００は、前記変更された画面上に前記編集対象コンテンツをディスプレイした状態で、編集モードを終了するようにインターフェース部２００を制御することができ、ユーザインターフェース部２００に編集関連動作が入力されるとしても、編集関連機能が行われないようにすることができる。
【００７３】
一方、図６に関連し、タッチディスプレイ装置１を右方にパニングする場合について説明しているが、タッチディスプレイ装置１を上方または下方にパニングして上述の構成と同様の効果を実現することは、当業者に自明なことであろう。
【００７４】
一方、制御部４００は、ユーザインターフェース部２００に新規画面がディスプレイされる前に、以前画面から次の画面に変更される過程を、ユーザに識別させるようにユーザインターフェース部２００を制御することもできる。
【００７５】
例えば、ユーザインターフェース部２００は、以前の編集モード画面を動き程度に応じて、動き方向にスライディングまたはスクロールさせつつ、次の編集モード画面に漸進的に切り替えるようにディスプレイすることができる。
【００７６】
切り替え過程中、ユーザインターフェース部２００にディスプレイされる画面は、以前画面の一部と次の画面の一部とが一定の比率で混合されるものであってよい。なお、切り替え過程中にディスプレイされる画面は、以前の画面と次の画面との間に指定された、例えば、２ページに指定されたディスプレイであってよい。
【００７７】
この場合、制御部４００は、スライディングまたはスクロールの速度を動きの程度に応じて決定することができる。例えば、ユーザが早い速度でタッチディスプレイ装置１をパニングする場合、制御部４００は早い速度でスライディングをディスプレイするようにユーザインターフェース部２００を制御することができる。
【００７８】
なお、制御部４００は、スライディングまたはスクロールの速度をパニング距離に比例して決定することもできる。
【００７９】
上述の実施形態に応じて、ユーザはタッチディスプレイ装置１を一定の距離でパニングさせることにより、アプリケーション識別アイコンを含む背景画面を容易に編集することができる。
【００８０】
図７は、本発明の一実施形態に係るタッチディスプレイ装置１のディスプレイ過程を説明するための概念図である。
【００８１】
同図の一番左に図示されるのは、複数個のアプリケーション識別アイコンを含む背景画面をディスプレイするユーザインターフェース部２００である。同図に示すように、ユーザは身体の一部分をユーザインターフェース部２００上にディスプレイされた特定アイコンにタッチすることができる。このような動作は、図３を参照して説明した内容と同様であって、ユーザは複数個のアイコンのうち、最下段の最右側のアイコンを編集対象アイコンとして指定し、同時に編集モードにシフトする。
【００８２】
一方、ユーザインターフェース部２００の左側上部にディスプレイされる“１”という数字は、ページ識別番号（ａ）として、現在ユーザインターフェース部２００にディスプレイされている背景画面が１ページであることを示すものである。
【００８３】
ユーザは、タッチディスプレイ装置１を右側に回転する動作を行うことができる。タッチディスプレイ装置１が予め設定された距離閾値以上回転されることがセンサ部１００によって検出されると、制御部４００は、タッチディスプレイ装置１が回転した距離に対応する編集対象コンテンツを含む新規画面をディスプレイするように、ユーザインターフェース部２００を制御することができる。
【００８４】
一方、図７におけるタッチディスプレイ装置１の回転は、タッチディスプレイ装置１の正面の中心を正面と垂直となるように通過する回転軸を中心に行われてよい。
【００８５】
図７の実施形態では、ユーザは予め設定された角度閾値の２倍以上３倍未満分だけタッチディスプレイ装置１を右側に回転し、このような回転された角度及び方向をセンサ部１００が検出することができる。すなわち、センサ部２００は、タッチディスプレイ装置１が右側に、角度閾値の２倍以上３倍未満分だけ回転されている情報を検出し、制御部４００に伝送することができる。
【００８６】
制御部４００は、センサ部１００から受信された情報に基づいて、編集対象が含まれた新規画面をディスプレイするように、ユーザインターフェース部２００を制御することができる。
【００８７】
より詳細には、制御部４００は、タッチディスプレイ装置１が右側に、角度閾値の２倍以上３倍未満分だけ回転されているため、初期の１ページから右方に２ページだけ離隔されて指定された背景画面、すなわち、３ページに基づいて新規画面を形成することができる。制御部４００は、タッチディスプレイ装置１がティルティングされる角度が角度閾値のｎ倍以上ｎ＋１倍未満である場合、初期画面からｎページ離隔されていると指摘されたメニュー画面と編集対象コンテンツを含む新規画面とを生成することができる。
【００８８】
上述の実施形態に応じて、ユーザはタッチディスプレイ装置１を一定の角度でティルティングさせることにより、アプリケーション識別アイコンを含む背景画面を容易に編集することができる。
【００８９】
図８は、本発明の更に別の実施形態に係るタッチディスプレイ装置１のティルティング方法に関する概念図である。
【００９０】
同図に示すように、ユーザはタッチディスプレイ装置１を、タッチディスプレイ装置１の正面と隣接した上下部面の中心を、上下部面と垂直に通過する回転軸を中心にティルティングすることにより、図５を参照して説明した編集方法を実現するようにすることができる。
【００９１】
図９ないし図１１は、本発明の一実施形態に係るディスプレイ方法を説明するための概念図である。
【００９２】
同図に示すように、タッチディスプレイ装置１は、特定のアドレスの全ウェブブラウザウィンドウ５のうち、一部分２のみをディスプレイする。すなわち、全ウェブブラウザウィンドウ５は、タッチディスプレイ装置１によってディスプレイされる一部分２とディスプレイされていない部分とを含む。
【００９３】
図９ないし図１１に関連した実施形態において、ユーザがタッチディスプレイ装置１によってディスプレイされる一部分２のうちの特定テキスト３をコピーし、タッチディスプレイ装置１によってディスプレイされていない領域のうち、一部の領域４に貼り付けを望む場合を想定するようにする。
【００９４】
図９に示すように、ユーザはユーザインターフェース部２にディスプレイされたコンテンツのうち、特定テキスト３を編集対象コンテンツに指定しつつ、編集モードにシフトすることができる。それに関する説明は、図５を参照して説明しているため、ここでは省略する。
【００９５】
図１０に示すように、ユーザはタッチディスプレイ装置１を下方にパニングさせることができ、ユーザインターフェース部はタッチディスプレイ装置１が下方にパニングされた距離に対応するウェブブラウザウィンドウ５の他の部分をディスプレイすることができる。ユーザインターフェース部がウェブブラウザウィンドウ５の他の部分をディスプレイする構成は、図６を参照して説明している。すなわち、制御部は、センサ部１００によって検出されたパニングされた距離及び方向に基づいて、保存部３００に保存されたウェブブラウザウィンドウ５の対応するディスプレイをユーザインターフェース部２００にディスプレイするように制御することができる。
【００９６】
同図に示すように、ユーザがタッチディスプレイ装置１をパニングさせる過程で、ユーザの身体の一部をユーザインターフェース部２００に接触されていない状態でも、制御部４００はウェブブラウザウィンドウ５の別の領域をディスプレイするように、ユーザディスプレイ部２００を制御することができる。
【００９７】
ユーザは、自分が貼り付けを望む部分４がユーザインターフェース部２００にディスプレイされる場合、予め設定された動作を通じてコピーされたテキストを貼り付けすることができる。ここで、貼り付けに対応する予め設定された動作は、公知となっている技術であるため、これ以上の詳細な説明は省略する。
【００９８】
ユーザが望む編集過程が終了すると、ユーザは上述の編集モード解除動作を行い、タッチディスプレイ装置１の編集モードを解除することができる。
【００９９】
上述の構成により、ユーザはアプリケーション識別アイコンを含む背景画面の編集だけでなく、タッチディスプレイ装置１によってディスプレイされる部分とディスプレイされていない部分とを含むウェブブラウザウィンドウ５内における編集を容易に行うことができる。
【０１００】
図１２は、本発明の別の実施形態に係る複数個のウェブブラウザウィンドウの間のディスプレイ編集を説明するための概念図である。
【０１０１】
同図に示すように、タッチディスプレイ装置１は、第１ウェブブラウザウィンドウ６と第２ウェブブラウザウィンドウ７とをマルチタスキングすることができる。図８に関する実施形態では、ユーザが第１ウェブブラウザウィンドウ６の特定イメージをコピーし、第２ウェブブラウザウィンドウ７に登録を望む場合を想定するようにする。
【０１０２】
ユーザは、編集モードへのシフト動作を行い、第１ウェブブラウザウィンドウ６の特定イメージを編集対象コンテンツに指定しつつ、タッチディスプレイ装置１が編集モードにシフトするようにすることができる。
【０１０３】
ユーザがタッチディスプレイ装置１を右方にパニングさせることにより、ユーザインターフェース部２００は、第２ウェブブラウザウィンドウ７をディスプレイすることができる。
【０１０４】
ユーザは、第２ウェブブラウザウィンドウ７にディスプレイされる“写真登録”ウィンドウにコピーした特定イメージ、すなわち、編集対象コンテンツを貼り付けることにより、マルチタスキング中の複数個のウェブブラウザウィンドウ間のイメージまたはテキストのようなコンテンツの編集を容易に行うことができる。
【０１０５】
更に、ユーザが第１ウェブブラウザウィンドウ６から編集対象コンテンツをコピーし、第２ウェブブラウザウィンドウ７に移動させた後、第２ウェブブラウザウィンドウ７内で、図９ないし図１１に関連して上述したように、第２ウェブブラウザウィンドウ７内のディスプレイされていない部分に移動させて貼り付けする構成も当業者に自明であろう。
【０１０６】
図１３は、本発明の一実施形態に係るマルチタスキング中の複数個のアプリケーション間のコンテンツ編集方法を説明するための概念図である。
【０１０７】
同図に示すように、タッチディスプレイ装置１は、複数個のアプリケーションをマルチタスキングすることができる。例えば、タッチディスプレイ装置１は、ウェブブラウザアプリケーションと写真編集アプリケーションとをマルチタスキングすることができる。
【０１０８】
同図に関連する実施形態では、ユーザがウェブブラウザアプリケーションにディスプレイされたイメージをコピーし、写真編集アプリケーションに貼り付けを望む場合を想定するようにする。
【０１０９】
ユーザは、編集モードへのシフト動作を行い、ウェブブラウザウィンドウ８の特定イメージを編集対象コンテンツに指定しつつ、タッチディスプレイ装置１が編集モードにシフトするようにすることができる。
【０１１０】
ユーザが、タッチディスプレイ装置１を右方にパニングさせることにより、ユーザインターフェース部２００は写真編集アプリケーションウィンドウ９をディスプレイすることができる。
【０１１１】
写真編集アプリケーション９がディスプレイされる前に、スライディング速度がパニング速度に比例して定められる構成は、図６を参照して既に説明しているため、ここでは省略する。
【０１１２】
ユーザは、写真編集アプリケーションウィンドウ９にディスプレイされる編集ウィンドウにコピーした特定イメージ、すなわち、編集対象コンテンツを貼り付けることにより、マルチタスキング中の複数個のアプリケーション間のイメージまたはテキストのようなコンテンツの編集を容易に行うことができる。
【０１１３】
更に、ユーザがウェブブラウザウィンドウ８から編集対象コンテンツをコピーし、写真編集アプリケーションウィンドウ９に移動させた後、写真編集アプリケーションウィンドウ９内で、図９ないし図１１に関連して説明したように、写真編集アプリケーションウィンドウ９内のディスプレイされていない部分に移動させ、貼り付ける構成も当業者に自明なことである。
【０１１４】
上述の多様な実施形態によって、ユーザはアプリケーション識別アイコンを含む背景、ウェブブラウザウィンドウ、複数個のウェブブラウザウィンドウ、複数個のアプリケーション間のコンテンツ編集を容易に実施することができる。
【０１１５】
図１４は、本発明の別の側面に係るディスプレイ装置１のディスプレイ方法を説明するためのフローチャートである。
【０１１６】
まず、少なくとも一つのコンテンツを含む画面がディスプレイされてよい（Ｓ１０１０）。
【０１１７】
その後、タッチディスプレイ装置１は、ユーザによる編集モードへのシフト動作を検出し、画面を編集モード状態でディスプレイすることができる（Ｓ１０２０）。
【０１１８】
タッチディスプレイ装置の動きが検出されると（Ｓ１０２０の「Ｙ」）、動き程度および動き方向に応じて変更される画面を編集モード状態でディスプレイし（Ｓ１０３０）、変更された画面上に編集対象コンテンツをディスプレイすることができる（Ｓ１０４０）。
【０１１９】
ここで、タッチディスプレイ装置の動きは、好適には、タッチディスプレイ装置１のパニングまたはティルティングまたは回転であってよい。
【０１２０】
ここで、画面は、上述のように、アプリケーション識別アイコンを含む背景画面、ウェブブラウザウィンドウ、アプリケーションウィンドウまたはアプリケーション識別アイコンを含む背景画面、ウェブブラウザウィンドウ、アプリケーションウィンドウと編集対象コンテンツを含むディスプレイであってよい。
【０１２１】
上述の方法により、ユーザはディスプレイを直観的に移動させることで、ディスプレイの編集を容易に行うことができる。
【０１２２】
図１５は、本発明の一実施形態に係るディスプレイ編集方法を説明するためのフローチャートである。
【０１２３】
ユーザによる編集モードへのシフト動作が検出されると、編集モード画面が提供されてよい（Ｓ１１１０）。
【０１２４】
その後、タッチディスプレイ装置がパニングまたはティルティングまたは回転する移動動作を検出し（Ｓ１１２０）、パニング距離またはティルティングまたは回転角度が（１／ｔ）×ａより大きいかを判断することができる（Ｓ１１３０）。
【０１２５】
ここで、ａはパニング距離またはティルティング角度の閾値であり、「ｔ」は複数個の変更ディスプレイを順次に提供するのに利用される時間である。すなわち、複数個の変更ディスプレイはｔ秒に一つずつ提供されてよい。言い換えると、複数個の変更ディスプレイが提供される速度は１／ｔである。
【０１２６】
パニング距離またはティルティング回転角度が閾値以下である場合（Ｓ１１３０における「Ｎ」）、タッチディスプレイ装置１は再びパニング距離またはティルティングまたは回転角度を検出する（Ｓ１１２０）。
【０１２７】
パニング距離またはティルティング角度が閾値以上である場合（Ｓ１１２０−Ｙ）、タッチディスプレイ装置１は以前の編集モード画面を１／ｔの速度でスライディングさせつつ、次の編集モード画面に漸進的に切り替えることができる（Ｓ１１４０）。
【０１２８】
複数個の変更ディスプレイが提供された後、パニング距離またはティルティング角度に対応する画面が提供されてよい（Ｓ１１５０）。
【０１２９】
ユーザは、編集解除動作を行うことができ、タッチディスプレイ装置１は編集解除動作を検出することができる（Ｓ１１６０）。
【０１３０】
編集解除動作を検出すると（Ｓ１１６０における「Ｙ」）、タッチディスプレイ装置１は編集モードを終了することができる（Ｓ１１７０）。
【０１３１】
上述の方法により、ユーザはディスプレイを直観的に移動させることにより、ディスプレイの編集を容易に行うことができる。
【０１３２】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０１３３】
１      タッチディスプレイ装置
１００  センサ部
２００  ユーザインターフェース部
３００  保存部
４００  制御部
４１０  インターフェース部
４２０  プロセッシング部
４３０  ＧＵＩ生成部
４４０  マルチメディア機能ブロック
【図１】
0005968912.tif 000002
【図２】
0005968912.tif 000003
【図３】
0005968912.tif 000004
【図４】
0005968912.tif 000005
【図５】
0005968912.tif 000006
【図６】
0005968912.tif 000007
【図７】
0005968912.tif 000008
【図８】
0005968912.tif 000009
【図９】
0005968912.tif 000010
【図１０】
0005968912.tif 000011
【図１１】
0005968912.tif 000012
【図１２】
0005968912.tif 000013
【図１３】
0005968912.tif 000014
【図１４】
0005968912.tif 000015
【図１５】
0005968912.tif 000016